(57)【要約】【課題】従来のパイピング仕様の従来製品に比べて縫着部のゴロゴロ感が少なく、表面と裏面がほぼ同じ外観を呈するリバーシブルダウンジャケットを提供する。【解決手段】ジャケット本体３１の脇縫着部３６と肩縫着部３７、袖３２の袖片縫着部およびジャケット本体３１と袖３２との袖口縫着部３８のうちの少なくとも１つの縫着部を形成する２つの部片（３２，３３）の上にその縫着部を覆うように帯状布２を配置し、帯状布２の一側を縫着部を形成する一方の部片３３に縫着し、帯状布２の他側を縫着部を形成する他方の部片３２に縫着する。【選択図】図１
2008111199.tif 000002
【特許請求の範囲】
【請求項１】
複数の身頃片を有し、身頃片同士を脇縫着部および肩縫着部で連結して一対の袖口を形成するジャケット本体と、袖片を袖片縫着部で連結して形成され、ジャケット本体の各袖口に袖口縫着部で連結される袖とから構成され、各部片は、表地／羽毛を含む中綿層／裏地からなる３層体から形成されるリバーシブルダウンジャケットにおいて、ジャケット本体の脇縫着部と肩縫着部、袖の袖片縫着部およびジャケット本体と袖との袖口縫着部のうちの少なくとも１つの縫着部を形成する２つの部片の上にその縫着部を覆うように帯状布を配置し、帯状布の一側を縫着部を形成する一方の部片に縫着し、帯状布の他側を縫着部を形成する他方の部片に縫着したことを特徴とするリバーシブルダウンジャケット。
【請求項２】
帯状布は、縫着部を形成する２つの部片の表地を形成する布地と同じ布地で形成されることを特徴とする請求項１に記載のリバーシブルダウンジャケット。
【請求項３】
帯状布は、少なくとも一方の側端部が内側に折り畳まれていることを特徴とする請求項１または２に記載のリバーシブルダウンジャケット。
【請求項４】
縫着部の帯状布を設けた面と反対側の面に帯状布に対向して別の帯状布を配置し、別の帯状布の一側を縫着部を形成する一方の部片に縫着し、別の帯状布の他側を縫着部を形成する他方の部片に縫着したことを特徴とする請求項１ないし３のいずれか１項に記載のリバーシブルダウンジャケット。
【請求項５】
別の帯状布が、縫着部を形成する２つの部片の裏地を形成する布地と同じ布地で形成されることを特徴とする請求項４に記載のリバーシブルダウンジャケット。
【請求項６】
複数の身頃片からなり、身頃片同士を脇縫着部および肩縫着部で連結して形成され、各身頃片は、表地／羽毛を含む中綿層／裏地からなる３層体から形成されるリバーシブルダウンベストにおいて、
脇縫着部および肩縫着部のうちの少なくとも１つの縫着部を形成する２つの身頃片の上にその縫着部を覆うように帯状布を配置し、帯状布の一側を縫着部を形成する一方の身頃片に縫着し、帯状布の他側を縫着部を形成する他方の身頃片に縫着したことを特徴とするリバーシブルダウンベスト。
【請求項７】
帯状布は、縫着部を形成する２つの身頃片の表地を形成する布地と同じ布地で形成されることを特徴とする請求項６に記載のリバーシブルダウンベスト。
【請求項８】
帯状布は、少なくとも一方の側端部が内側に折り畳まれていることを特徴とする請求項６または７に記載のリバーシブルダウンベスト。
【請求項９】
縫着部の帯状布を設けた面と反対側の面に帯状布に対向して別の帯状布を配置し、別の帯状布の一側を縫着部を形成する一方の身頃片に縫着し、別の帯状布の他側を、縫着部を形成する他方の身頃片に縫着したことを特徴とする請求項５ないし８のいずれか１項に記載のリバーシブルダウンベスト。
【請求項１０】
別の帯状布は、縫着部を形成する２つの身頃片の裏地を形成する布地と同じ布地で形成されることを特徴とする請求項９に記載のリバーシブルダウンベスト。
【発明の詳細な説明】
【技術分野】
【０００１】
本発明は、表面と裏面がほぼ同じ外観を呈するリバーシブルダウンジャケットおよびリバーシブルダウンベストに関する。
【背景技術】
【０００２】
一般に用いられている防寒用リバーシブルダウンジャケットの一例を図６（ａ），（ｂ）に示す。図６（ａ）は、リバーシブルダウンジャケットの正面図であり、図６（ｂ）は、リバーシブルダウンジャケットの後面図である。
【０００３】
リバーシブルダウンジャケット３０は、図６に示すように、ジャケット本体３１と、ジャケット本体３１に縫着された袖３２，３２とから構成される。ジャケット本体３１は、左前身頃３３と右前身頃３４と後身頃３５とからなり、前身頃３３，３４の側端と後身頃３５の側端を脇縫着部３６，３６で連結し、前身頃３３，３４の上端と後身頃３５の上端を肩縫着部３７，３７で連結することで形成される。袖３２は、袖片を袖片縫着部により連結することで形成され、ジャケット本体３１に袖口縫着部３８で連結される。ジャケット本体３１の各部片および袖３２の各袖片は、表地／羽毛を含む中綿層／裏地からなる３層布を所定形状に裁断することで形成される。
【０００４】
一般に用いられている防寒用リバーシブルダウンベストの一例を図７（ａ），（ｂ）に示す。図７（ａ）は、リバーシブルダウンベストの正面図であり、図７（ｂ）は、リバーシブルダウンベストの後面図である。
【０００５】
リバーシブルダウンベスト４０は、図７に示すように、左前身頃４１と右前身頃４２と後身頃４３とからなり、前身頃４１，４２の側端と後身頃４３の側端を脇縫着部４４，４４で連結し、前身頃４１，４２の上端と後身頃４３の上端を肩縫着部４５，４５で連結することで形成される。左前身頃４１と右前身頃４２と後身頃４３は、表地／羽毛を含む中綿層／裏地からなる３層布を所定形状に裁断することで形成される。
【０００６】
図８は、リバーシブルダウンジャケット３０のジャケット本体３１と袖３２との袖口縫着構造５０を示す図である。リバーシブルダウンジャケット３０の袖口縫着構造５０は、ジャケット本体３１と袖３２との袖口縫着部３８にパイピングテープ５１を縫着することで構成される。袖口縫着部３８は、ジャケット本体３１の袖口を形成する前身頃と後身頃（説明の便宜のために前身頃３３のみを示す）と袖３２とを裏地同士が接して端縁が整合するように重ね合わせた状態で縫合することで形成される。パイピングテープ５１は、断面コ字状の細長い布片を先端を内側に折り曲げて折り曲げ部５１ａ，５１ｂを形成することで構成される。
【０００７】
リバーシブルダウンジャケット３０を組み立て縫いする際に、パイピングテープ５１をジャケット本体３１の身頃（３３，３４，３５）と袖２２とを重ね合わせた袖口縫着部３８に袖口縫着部３８を囲むように配置し、袖口縫着部３８とパイピングテープ５１を、パイピングテープ５１の一方の折り曲げ部５１ａと本体部からなる２重部分と袖口縫着部３８とパイピングテープ５１の他方の折り曲げ部５１ａと本体部からなる２重部分を貫通する縫合線５２により縫合し、パイピングテープ５１の基端部分を袖３２に、基端部分と袖口縫着部３８に連なる袖３２ａを貫通する別の縫合線５３により縫着する。これにより、パイピングテープ２１と袖口縫着部３８による袖口縫着構造５０が形成される。
【０００８】
図８において、袖口縫着構造５０の身頃と袖との接合に必要な長さを接合長さＸとし、身頃と袖とを接合した厚さを接合厚さＹとすると、接合長さＸ＝７．０３ｍｍであり、接合厚さＹ＝３．５６ｍｍである。この厚さ測定は、ＪＩＳＬ１０９６の厚さ測定方法（１９９９改正）により荷重０．７ＫＰａ、加圧時間１０秒の条件下が行った。
【０００９】
接合部の凹凸度Ｒは、Ｒ＝Ｙ／Ｘで計算される。図８に示すリバーシブルダウンジャケット３０の袖口縫着構造５０の接合部の凹凸度Ｒは、Ｒ＝Ｙ／ＸにおいてＸ＝７．０３、Ｙ＝３．５６と置き換えることで、Ｒ＝３．５６／７．０３＝０．５０となる。
【００１０】
なお、図８において、符号５４は、表地／羽毛層／裏地からなる３層布の周縁部を縫合する周囲縫合線であり、符号Ｌ０は、パイピングテープ５１の端面と別の縫合線５３との間の距離である。
【発明の開示】
【発明が解決しようとする課題】
【００１１】
上記形式のリバーシブルダウンジャケットは、パイピングテープを袖口縫着部に縫着して袖口縫着構造を形成するので袖口縫着構造が硬い構造となり、また、袖口縫着構造のパイピングテープと袖との間の段差が大きいので袖口縫着構造が外観的に目立ち、表面と裏面とで外観が異なり、着用時に、硬い袖口縫着構造が当たり、ゴロゴロとした着用感が生じるという難点がある。
【００１２】
本発明の目的は、前記従来技術の問題点を解消するためになされたもので、縫着部の段差を小さくすることで縫着部が目立たないようにし、表面と裏面との外観をほとんど同じ形態にするとともにゴロゴロとした着用感が生じないようにしたリバーシブルダウンジャケットおよびリバーシブルダウンベストを提供することにある。
【課題を解決するための手段】
【００１３】
本発明のリバーシブルダウンジャケットは、ジャケット本体の脇縫着部と肩縫着部、袖の袖片縫着部およびジャケット本体と袖との袖口縫着部のうちの少なくとも１つの縫着部を形成する２つの部片の上にその縫着部を覆うように帯状布を配置し、帯状布の一側を縫着部を形成する一方の部片に縫着し、帯状布の他側を縫着部を形成する他方の部片に縫着して構成される。
【００１４】
本発明のリバーシブルダウンベストは、脇縫着部および肩縫着部のうちの少なくとも１つの縫着部縫着部を形成する２つの身頃片の上にその縫着部を覆うように帯状布を配置し、帯状布の一側を縫着部を形成する一方の身頃片に縫着し、帯状布の他側を縫着部を形成する他方の身頃片に縫着して構成される。
【発明の効果】
【００１５】
本発明によれば、従来のパイピング仕様の従来製品に比べて縫着部のゴロゴロ感が少なく、表面と裏面がほぼ同じ外観を呈し、また、縫着部の端処理をきれいに行うことができる。
【００１６】
また、本発明によれば、帯状布を縫着部の表側と裏側にそれぞれ縫着することで、より完全なリバーシブル化を図ることができる。
【発明を実施するための最良の形態】
【００１７】
以下、本発明によるリバーシブルダウンジャケットおよびリバーシブルダウンベストの実施形態について添付図面を参照しながら説明する。  
本発明によるリバーシブルダウンジャケットは、図６に示すリバーシブルダウンジャケット３０と同じ形態であるから、ジャケット本体および袖の構成は図６に示すジャケット本体３１および袖３２と同一符号を付すことで説明を省略する。
【００１８】
本発明によるリバーシブルダウンジャケットは、ジャケット本体３１の脇縫着部３６と肩縫着部３７、袖３２の袖片縫着部およびジャケット本体３１と袖３２との袖口縫着部３８のうちの少なくとも１つの縫着部にその縫着部を覆うように帯状布２を縫着して段差の少ない縫着構造を構成している。
【００１９】
図１は、本発明によるリバーシブルダウンジャケット１のジャケット本体３１と袖３２との袖口縫着部３８に帯状布２を配置した袖口縫着構造３を示す図である。袖口縫着構造３は、ジャケット本体３１の袖口を形成する前身頃と後身頃（説明の便宜のために前身頃３３のみを示す）と袖３２を裏地同士が接して端縁が整合するように重ね合わせた状態で縫合される袖口縫着部３８と袖口縫着部３８を覆うように配置された帯状布２から形成される。帯状布２は、２つ折りした布片の自由端側を内側に折り畳んで折り曲げ部４を形成する構成である。帯状布２は、一側端を２つ折り部で形成し、他側端を折り曲げ部４により形成するので、両側端に切断面が露出しない構造をなしている。
【００２０】
本発明によるリバーシブルダウンジャケット１を組み立て縫いする際に、袖口縫着部３８を覆うように袖口縫着部３８を形成する前身頃３３と袖３２の上に帯状布２を配置し、帯状布２を袖口縫着部３８に、帯状布２の折り曲げ部４と袖口縫着部３８の前身頃３３と袖３２を貫通する第１縫合線５により縫着し、帯状布２を袖口縫着部３８に、袖口縫着部３８の第１縫合線５より端側の位置で帯状布２の本体部６と折り曲げ部４の２重部分と袖口縫着部３８の前身頃３３と袖３２とを貫通する第２縫合線７により縫着し、帯状布２を袖３２に、帯状布２の本体部の側側端部と袖３２とを貫通する第３縫合線８により縫着する。これにより、帯状布２と袖口縫着部３８による袖口縫着構造３が形成される。この場合、帯状布２は、前身頃３３および袖３２の外面に位置する布地と同じ布地であることが望ましい。
【００２１】
図１において、袖口縫着構造３の接合長さをＸとし、接合厚さをＹとすると、Ｘ＝  ８．９２ｍｍであり、Ｙ＝２．８４ｍｍである。この厚さ測定は、ＪＩＳＬ１０９６の厚さ測定方法（１９９９改正）により荷重０．７ＫＰａ、加圧時間１０秒の条件で行った。
【００２２】
図１に示すリバーシブルダウンジャケット１の袖口縫着構造３の接合部の凹凸度Ｒは、Ｒ＝Ｙ／Ｘで計算される。図１に示すリバーシブルダウンジャケット１の袖口縫着構造５０の接合部の凹凸度Ｒは、Ｒ＝Ｙ／Ｘにおいて、Ｘ＝８．９２、Ｙ＝２．８４と置き換えることで、Ｒ＝２．８４／８．９２＝０．３１となる。
【００２３】
リバーシブルダウンジャケット１の袖口縫着構造３の接合部の凹凸度Ｒは、０．２５＜Ｒ＜、０．３７の範囲内であれば、接合部の凹凸が滑らかになることが実験的に分かった。たとえば、袖口縫着構造３の接合高さＹが１．５ｍｍであり、接合長さＸが６．０ｍｍである場合、袖口縫着構造３の接合部の凹凸度Ｒ＝０．２５となる。また、袖口縫着構造３の接合高さＹが４．５ｍｍであり、接合長さＸが１２．０ｍｍである場合、袖口縫着構造３の接合部の凹凸度Ｒ＝０．３７となる。このように、接合高さＹを０．１５＜Ｙ＜０．４０にし、接合長さＸを６．０＜Ｘ＜１２，０にすることで、凹凸度Ｒは、０．２５＜Ｒ＜、０．３７に設定することができる。
【００２４】
なお、図１において、符号Ｌ１は、袖口縫着部３８の端面３８ａと第３縫合線８との間の距離である。距離Ｌ１は、１ｍｍ以上であることが好ましい。
【００２５】
本発明によるリバーシブルダウンジャケット１は、袖口縫着構造３の凹凸度Ｒが０．３１であり、図８に示すリバーシブルダウンジャケット３０のパイピング仕様の袖口縫着構造５０の凹凸度０．５０に比べて小さいので、ゴロゴロとした着用感が生じず、また袖口縫着構造３が外観的に目立つことがなく、図８に示すリバーシブルダウンジャケット３０より表面と裏面がより同じ外観を呈する。
【００２６】
図１は、本発明によるリバーシブルダウンジャケット１における帯状布２を袖口縫着部３８に縫着した袖口縫着構造３について説明するものであるが、帯状布２をジャケット本体３１の脇縫着部３６と肩縫着部３７および袖３２の袖片縫着部のいずれかに配置した場合にも、帯状布２を対応する縫着部に第１縫合線５、第２縫合線７および第３縫合線８により縫着することで形成される脇縫着構造と肩縫着構造と袖片縫着構造のいずれも、袖口縫着構造３と同じ形態を呈するので詳しい説明は省略する。
【００２７】
図２は、図１に示すリバーシブルダウンジャケット１の変形例を示す図である。図２に示すリバーシブルダウンジャケット１ａは、図１に示すリバーシブルダウンジャケット１と比較すると、帯状布２ａと第２縫合線７ａのみがリバーシブルダウンジャケット１と相違している。
【００２８】
図２に示すリバーシブルダウンジャケット１ａは、帯状布２ａを１枚の布片の両側端を内側に折り畳んで折り曲げ部４ａ，４ａを形成することで構成している。帯状布２ａは、図１に示す帯状布２と同様に、両側端に切断面がない構造である。第２縫合線７ａは、袖口縫着部３８の第１縫合線５より端側の位置で帯状布２ａの本体側６ａと折り曲げ部４ａの２重部分と袖口縫着部３８の前身頃３３と袖３２と袖口縫着部３８に連なる袖３２を貫通している。帯状布２ａは、袖口縫着部３８に縫着されて袖口縫着構造３ａを構成する。
【００２９】
本発明によるリバーシブルダウンジャケット１ａは、図１に示すリバーシブルダウンジャケット１と同様に、図８に示すリバーシブルダウンジャケット３０より表面と裏面がより同じ外観を呈し、ゴロゴロとした着用感が生じない。
【００３０】
図３は、本発明によるリバーシブルダウンジャケットの他の実施の形態を示す図である。図３に示すリバーシブルダウンジャケット１０は、ジャケット本体３１と袖３２との袖口縫着部３８の一面に帯状布１１を配置し、袖口縫着部３８の他面に帯状帯状布１２を配置した袖口縫着構造１３を有する。
【００３１】
本発明によるリバーシブルダウンジャケット１０の袖口縫着構造１３は、ジャケット本体３１の袖口を形成する前身頃と後身頃（説明の便宜のために前身頃３３のみを示す）と袖３２を裏地同士が接して端縁が整合するように重ね合わせた状態で縫合される袖口縫着部３８と袖口縫着部３８の一面を覆うように配置された帯状布１１と、袖口縫着部３８の他面を覆うように配置された帯状布１２とから形成される。帯状布１１は、両側端を内側に折り畳んで折り曲げ部１１ａ，１１ａを形成した１枚の布片から構成される。帯状布１２は、帯状布１１と同様に、両側端を内側に折り畳んで折り曲げ部１２ａ，１２ａを形成した１枚の布片から構成される。
【００３２】
本発明によるリバーシブルダウンジャケット１０を組み立て縫いする際に、袖口縫着部３８の表側を覆うように帯状布１１を配置し、袖口縫着部３８の前身頃３３と袖３２ｓの間に折り曲げ部１２ａが位置して袖口縫着部３８の裏側を覆うように帯状布１２を配置し、帯状布１１の折り曲げ部１２ａと帯状布１２の折り曲げ部１２ａを袖口縫着部３８に、帯状布１１の折り曲げ部１１ａと袖口縫着部３８の前身頃３３と帯状布１２の折り曲げ部１２ａと袖３２とを貫通する第１縫合線１４により縫着し、帯状布１１の本体部と帯状布１２の本体部を袖口縫着部３８に、袖口縫着部３８の第１縫合線１４より端側の位置で帯状布１１の２重部分と前身頃３３と帯状布１２の折り曲げ部１２ａと袖３２と帯状布１２の本体部を貫通する第２縫合線１５により縫着し、帯状布１１の本体側端と帯状布１２の本体側端を袖３２に、帯状布１１の２重部分と袖３２と帯状布１２の２重部分を貫通する第３縫合線１６により縫着する。これにより、帯状布１１と袖口縫着部３８と帯状布１２による袖口縫着構造１３が形成される。帯状布１１は、前身頃３３および袖３２の外面の布地と同じ布地であり、帯状布１２は、前身頃３３および袖３２の内面の布地と同じ布地であることが望ましい。
【００３３】
本発明によるリバーシブルダウンジャケット１０は、袖口縫着構造１３を袖口縫着部３８の両面に帯状布１１，１２を縫着することで構成するので、図１に示すリバーシブルダウンジャケット１より表面と裏面がより同じ外観を呈し、より完全なリバーシブル化を図ることができる。
【００３４】
図４は、本発明によるリバーシブルダウンジャケットの他の実施の形態を示す図である。図４に示すリバーシブルダウンジャケット１０ａは、図３に示すリバーシブルダウンジャケット１０と比較すると、袖口縫着部１９ａの構造が図３に示す袖口縫着部１３と相違している。図４に示すリバーシブルダウンジャケット１０ａは、ジャケット本体３１と袖３２との袖口縫着部３９ａの両面に帯状布１７，１８を配置した袖口縫着構造１９を有する。
【００３５】
本発明によるリバーシブルダウンジャケット１０ａの袖口縫着構造１９は、ジャケット本体３１の袖口を形成する前身頃と後身頃（説明の便宜のために前身頃３３のみを示す）と袖３２とをその端部が重ね合わせた状態で縫合される袖口縫着部３９ａと袖口縫着部３９ａの一面に配置された帯状布１７と、一側端が前身頃３３と袖３２との間に位置するように袖口縫着部３９ａの他面に配置された帯状布１８とから形成される。帯状布１７は、２つ折りした布片の自由端側を内側に折り畳んで折り曲げ部１７ａを形成することで構成される。帯状布１８は、２つ折りした布片の自由端側を内側に折り畳んで折り曲げ部１８ａを形成することで構成される。帯状布１７，１８は、両側端を内側に折り畳んだ１枚の布片であってもよい。
【００３６】
本発明によるリバーシブルダウンジャケット１０ａを組み立て縫いする際に、袖口縫着部３９ａの表面側を覆うように帯状布１７を配置し、袖口縫着部３９ａの裏面側を覆うように帯状布１８を配置し、帯状布１８の折り曲げ部１８ａを袖口縫着部３９ａの前身頃３３と袖３２ｓの間に配置し、帯状布１７の折り曲げ部１７ａと帯状布１８の折り曲げ部１８ａを袖口縫着部３９ａに、帯状布１７の折り曲げ部１７ａと前身頃３３と帯状布１８の折り曲げ部１８ａと袖３２とを貫通する第１縫合線１４ａにより縫着し、帯状布１７の本体部と帯状布１８の本体部を袖口縫着部３９ａに、袖口縫着部３９ａの第１縫合線１４ａより端側の位置で帯状布１７の２重部分と前身頃３３と帯状布１８の折り曲げ部１８ａと袖３２と帯状布１８の本体部を貫通する第２縫合線１５ａにより縫着し、帯状布１７の本体側端と帯状布１８の本体側端を袖３２に第３縫合線１６ａにより縫着する。これにより、袖口縫着部３９ａの両面に帯状布１７，１８を縫着した袖口縫着構造１９が形成される。帯状布１７は、前身頃３３および袖３２の外面の布地と同じ布地であり、帯状布１８は、前身頃３３および袖３２の内面の布地と同じ布地であることが望ましい。
【００３７】
本発明によるリバーシブルダウンジャケット１０ａは、図１に示すリバーシブルダウンジャケット１より表面と裏面がより同じ外観を呈し、より完全なリバーシブル化を図ることができる。
【００３８】
つぎに、本発明によるリバーシブルダウンベストについて説明する。  
本発明によるリバーシブルダウンベスト２０は、図７に示すリバーシブルダウンベスト４０と同じ形態であるから、リバーシブルダウンベストの構成部材については図７に示すリバーシブルダウンベストと同一符号を付すことで説明を省略する。
【００３９】
本発明によるリバーシブルダウンベスト２０は、前身頃４１，４２と後身頃４３からなり、前身頃４１，４２と後身頃４３を連結する２つの脇縫着部４４，４４と、前身頃４２と後身頃４３を連結する肩縫着部４５を有する。
【００４０】
本発明によるリバーシブルダウンベスト２０は、２つの脇縫着部４４，４４と、肩縫着部４５のうちの少なくとも１つの縫着部にその縫着部を覆うように帯状布２１を配置して構成される。
【００４１】
図５は、本発明によるリバーシブルダウンベスト２０の前身頃４２と後身頃４３との脇縫着部４４に帯状布２１を配置した脇縫着構造２２を示す図である。脇縫着構造２２は、前身頃４２と後身頃４３を裏地同士が接して端縁が整合するように重ね合わせた状態で縫合される脇縫着部４４と脇縫着部４４を覆うように配置された帯状布２１から形成される。帯状布２１は、２つ折りした布片の自由端側を内側に折り畳んで折り曲げ部２２を形成することで構成される。帯状布２１は、一方の側端を２つ折り端で形成し、他方の側端を折り曲げ部２１ａにより形成するので、両側端に切断面が露出しない構造である。帯状布２１は、両側端を内側に折り畳んだ１枚の布片で形成してもよい。
【００４２】
本発明によるリバーシブルダウンベスト２０を組み立て縫いする際に、帯状布２１の折り曲げ部２１ａを脇縫着部４４に、帯状布２１の折り曲げ部２１ａと脇縫着部４４の前身頃４１と後身頃４３を貫通する第１縫合線２３により縫着し、帯状布２１の本体部を脇縫着部４４に、脇縫着部４４の第１縫合線２３より端側の位置で帯状布２１の本体側と折り曲げ部２１ａの２重部分と脇縫着部４４の前身頃４１と後身頃４３を貫通する第２縫合線２４により縫着し、帯状布２１の本体側端を後身頃４３に第３縫合線２５により縫着する。これにより、脇縫着部４４に帯状布２１を縫着した脇縫着構造２２が形成される。帯状布２１は、前身頃４２および後身頃４３の外面に位置する布地と同じ布地であることが望ましい。
【００４３】
図５では、本発明によるリバーシブルダウンベスト２０における帯状布２１と脇縫着部４４による脇縫着構造２２について説明したが、帯状布２１を肩縫着部４５に配置し、帯状布２１を肩縫着部４５に第１縫合線２３、第２縫合線２４および第３縫合線２５により縫着することで形成される肩片縫着構造は、脇縫着構造３と同じ形態を呈するので詳しい説明は省略する。
【００４４】
本発明によるリバーシブルダウンベスト２０は、脇縫着部４４の両面に帯状布を配置し、両面に配置した帯状布の一側を縫合線により脇縫着部４４の一方の身頃片に縫着し、両面に配置した帯状布の他側を別の縫合線により脇縫着部４４の他方の身頃片に縫着して脇縫着構造を形成することもできる。この場合、リバーシブルダウンベスト２０は、表面と裏面がより同じ外観を呈し、より完全なリバーシブル化になる。
【図面の簡単な説明】
【００４５】
【図１】本発明によるリバーシブルダウンジャケットの袖口部分を示す拡大斜視図である。
【図２】本発明によるリバーシブルダウンジャケットの袖口部分の変形例を示す拡大斜視図である横断面図である。
【図３】本発明によるリバーシブルダウンジャケットの他の実施の形態の袖口部分を示す拡大斜視図である。
【図４】本発明によるリバーシブルダウンジャケットの他の実施の形態の袖口部分を示す拡大斜視図である。
【図５】本発明によるリバーシブルダウンベストの脇部分を示す拡大斜視図である。
【図６】従来のリバーシブルダウンジャケットを示す図である。
【図７】従来のリバーシブルダウンベストを示す図である。
【図８】従来のリバーシブルダウンジャケットの袖口部分を示す拡大斜視図である。
【符号の説明】
【００４６】
１  リバーシブルダウンジャケット
２  帯状布
３  袖口縫着構造
５  第１縫合線
７  第２縫合線
８  第３縫合線
３１  ジャケット本体
３２  袖
３３  前身頃
３６  脇縫着部
３７  肩縫着部
３８  袖口縫着部
【図１】
2008111199.tif 000003
【図２】
2008111199.tif 000004
【図３】
2008111199.tif 000005
【図４】
2008111199.tif 000006
【図５】
2008111199.tif 000007
【図６】
2008111199.tif 000008
【図７】
2008111199.tif 000009
【図８】
2008111199.tif 000010